(57)【要約】      （修正有）【課題】住戸内におけるセキュリティ異常を感知するセンサの電源は、従来、電池である。この電池交換の煩雑さを解消する。【解決手段】住戸内におけるセキュリティ異常を感知するセンサ２ａ、２ｂ、２ｃ、２ｄの動作電源を、居室親機３の親機電源部３０６からの電源供給、例えば、太陽光の光エネルギーを電力変換して生成させた直流電源により確保する。また、居室親機のＣＰＵ３０８は、電流検出部３０７にて検出されるセンサの消費電流をもとに、セキュリティ異常の発生又は当該センサの機器異常を検出し、その旨の警報報知を、報知部を構成するモニタ３００及び／又は親機スピーカ３０３を使用して行う。また、居室親機のＣＰＵは、電流検出部にて検出されるセンサの消費電流をもとに、居室親機に接続された当該センサの台数を検出し、その旨の確認報知を、報知部を構成するモニタ及び／又は親機スピーカを使用して行う。【選択図】図１
2009009511.tif 000002
【特許請求の範囲】
【請求項１】
住戸外に設置され来訪者が住戸内に在室中の居住者を呼び出して通話を成立させるための玄関子機（１）と、前記住戸内におけるセキュリティ異常の発生を感知するための少なくとも１台のセンサ（２ａ、２ｂ、２ｃ、２ｄ）と、前記住戸内に設置され前記玄関子機からの呼び出しに応答した前記居住者が前記来訪者との間で通話を成立させるとともに、前記センサにて感知されたセキュリティ異常を警報報知するための居室親機（３）とを設け、
前記居室親機には、直流電源を生成して前記センサに供給するための親機電源部（３０６）を備えたことを特徴とするインターホン装置。
【請求項２】
前記居室親機には、前記センサの消費電流を検出するための電流検出部（３０７）と、前記電流検出部にて検出される消費電流の電流値をもとに、前記セキュリティ異常の発生又は前記センサの機器異常を検出するためのＣＰＵ（３０８）と、前記ＣＰＵにて検出された前記セキュリティ異常の発生又は前記センサの機器異常を警報報知するための報知部（３００、３０３）とを備えたことを特徴とする請求項１記載のインターホン装置。
【請求項３】
前記居室親機には、前記センサの消費電流を検出するための電流検出部（３０７）と、前記電流検出部にて検出される消費電流の電流値をもとに、当該居室親機に接続された前記センサの台数を検出するためのＣＰＵ（３０８）と、前記ＣＰＵにて検出された前記センサの接続台数を確認報知するための報知部（３００、３０３）とを備えたことを特徴とする請求項１記載のインターホン装置。
【請求項４】
前記玄関子機には、前記来訪者の映像を撮像するためのカメラ（１０１）を備え、
前記居室親機には、前記玄関子機のカメラにて撮像された映像を出画するためのモニタ（３００）を備え、
前記居室親機の報知部は、前記モニタにて構成されることを特徴とする請求項１乃至請求項３のうち何れか１項記載のインターホン装置。
【請求項５】
前記居室親機には、前記来訪者からの呼び出しがあることを報知するとともに、前記来訪者の通話音声を出力するための親機スピーカ（３０３）を備え、
前記居室親機の報知部は、前記親機スピーカにて構成されることを特徴とする請求項１乃至請求項３のうち何れか１項記載のインターホン装置。
【請求項６】
前記居室親機の親機電源部は、太陽光の光エネルギーを電力変換して前記直流電源を生成することを特徴とする請求項１記載のインターホン装置。
【発明の詳細な説明】
【技術分野】
【０００１】
本発明は、玄関子機及び居室親機の間で通話を成立させるインターホン装置に係り、特に、住戸内におけるセキュリティ異常の発生を感知するセンサの動作電源を、居室親機からの電源供給により確保することができるインターホン装置に関する。
【背景技術】
【０００２】
従来から、住戸内におけるセキュリティ異常の発生、例えば、火災の発生を感知する機器としては、火災警報器が用いられている。
【０００３】
この火災警報器としては、自機器の電池に蓄えられる電源が動作電源となり、電源電圧の低下を検出して適宜な警報報知を行うことができる（例えば、特許文献１を参照。）。
【０００４】
【特許文献１】特開２００５−４４３１７号公報（段落番号［００１０］、［００１３］等、第１図）
【発明の開示】
【発明が解決しようとする課題】
【０００５】
背景技術に記載した特許文献１の火災警報器において、電池に蓄えられる電源の電源電圧が当該火災警報器を動作させることができない電圧値まで低下すると、電池を取り外して交換せねばならない。また、火災警報器は、天井等の高い位置に設置されることが通常であるため、その交換作業に煩雑さを有していた。
【０００６】
本発明は、この難点を解消するためになされたもので、住戸内におけるセキュリティ異常の発生を感知するセンサの動作電源を、居室親機からの電源供給により確保し、センサの消費電流をもとに、セキュリティ異常の発生又は当該センサの機器異常を示す警報報知、居室親機に接続されたセンサの台数を確認報知することができるインターホン装置を提供することを目的としている。
【課題を解決するための手段】
【０００７】
前述の目的を達成するため、本発明の第１の態様であるインターホン装置は、住戸外に設置され来訪者が住戸内に在室中の居住者を呼び出して通話を成立させるための玄関子機と、住戸内におけるセキュリティ異常の発生を感知するための少なくとも１台のセンサと、住戸内に設置され玄関子機からの呼び出しに応答した居住者が来訪者との間で通話を成立させるとともに、センサにて感知されたセキュリティ異常を警報報知するための居室親機とを設けたものである。この居室親機には、直流電源を生成してセンサに供給するための親機電源部を備えている。
【０００８】
また、本発明の第２の態様であるインターホン装置は、本発明の第１の態様において、居室親機には、センサの消費電流を検出するための電流検出部と、電流検出部にて検出される消費電流の電流値をもとに、セキュリティ異常の発生又はセンサの機器異常を検出するためのＣＰＵと、ＣＰＵにて検出されたセキュリティ異常の発生又はセンサの機器異常を警報報知するための報知部とを備えている。
【０００９】
また、本発明の第３の態様であるインターホン装置は、本発明の第１の態様において、居室親機には、センサの消費電流を検出するための電流検出部と、電流検出部にて検出される消費電流の電流値をもとに、当該居室親機に接続されたセンサの台数を検出するためのＣＰＵと、ＣＰＵにて検出されたセンサの接続台数を確認報知するための報知部とを備えている。
【００１０】
また、本発明の第４の態様であるインターホン装置は、本発明の第１乃至第３の各態様のうち何れか１の態様において、玄関子機には、来訪者の映像を撮像するためのカメラを備え、居室親機には、玄関子機のカメラにて撮像された映像を出画するためのモニタを備え、居室親機の報知部は、モニタにて構成されるものである。
【００１１】
また、本発明の第５の態様であるインターホン装置は、本発明の第１乃至第３の各態様のうち何れか１の態様において、居室親機には、来訪者からの呼び出しがあることを報知するとともに、来訪者の通話音声を出力するための親機スピーカを備え、居室親機の報知部は、親機スピーカにて構成されるものである。
【００１２】
また、本発明の第６の態様であるインターホン装置は、本発明の第１の態様において、居室親機の親機電源部は、太陽光の光エネルギーを電力変換して直流電源を生成するものである。
【発明の効果】
【００１３】
本発明のインターホン装置によれば、住戸内におけるセキュリティ異常を感知するセンサの動作電源を、居室親機の親機電源部からの電源供給、例えば、太陽光の光エネルギーを電力変換して生成させた直流電源により確保することができ、電池の交換のような煩雑な作業が不要となり利便性が高められる。また、居室親機のＣＰＵは、電流検出部にて検出されるセンサの消費電流をもとに、セキュリティ異常の発生又は当該センサの機器異常を検出し、その旨の警報報知を、報知部を構成するモニタ及び／又は親機スピーカを使用して行うことができる。また、居室親機のＣＰＵは、電流検出部にて検出されるセンサの消費電流をもとに、居室親機に接続された当該センサの台数を検出し、その旨の確認報知を、報知部を構成するモニタ及び／又は親機スピーカを使用して行うことができる。
【発明を実施するための最良の形態】
【００１４】
以下、本発明のインターホン装置を適用した最良の実施の形態例について、図面を参照して説明する。
【００１５】
図１は、本発明の実施例によるインターホン装置の具体的な構成を示すブロック図である。このインターホン装置には、住戸外に設置され来訪者が住戸内に在室中の居住者を呼び出して通話を成立させるための玄関子機１と、住戸内におけるセキュリティ異常の発生を感知するための少なくとも１台のセンサ、ここでは、火災の発生を感知するための２台の火災センサ（以下、第１、第２の各火災センサという。）２ａ、２ｂ、ガス漏れの発生を感知するための１台のガス漏れセンサ２ｃ、水漏れの発生を感知するための１台の水漏れセンサ２ｄの計４台の当該センサと、住戸内に設置され、子機／親機ラインＬ1を経由して接続される玄関子機１からの呼び出しに応答した居住者が来訪者との間で通話を成立させるとともに、第１のセンサ／親機ラインＬ2を経由して接続、例えば、渡り配線で直列接続される第１、第２の各火災センサ２ａ、２ｂ、第２のセンサ／親機ラインＬ3を経由して接続されるガス漏れセンサ２ｃ、第３のセンサ／親機ラインＬ4を経由して接続される水漏れセンサ２ｄにてそれぞれ感知されたセキュリティ異常又は当該センサの機器異常を警報報知し、さらには、当該センサの接続台数を確認報知するための居室親機３とが設けられている。
【００１６】
なお、第１のセンサ／親機ラインＬ2を経由して居室親機３に接続される当該火災センサの台数は、２台に限定されるものではなく、１台又はより複数台の当該火災センサを適用することもできる。同様に、第２、第３の各センサ／親機ラインＬ3、Ｌ4を経由して居室親機３に接続される当該ガス漏れセンサ及び当該水漏れセンサの台数はそれぞれ、１台に限定されるものではなく、複数台の当該ガス漏れセンサ及び当該水漏れセンサを適用することもできる。
【００１７】
玄関子機１には、子機操作部１００、カメラ１０１、子機映像処理部１０２、子機マイク１０３、子機スピーカ１０４、子機通話部１０５、子機電源部１０６及び子機Ｉ／Ｆ（インターフェース）１０７が備えられている。
【００１８】
この玄関子機１において、子機操作部１００は、来訪者が居住者を呼び出すために操作するものであり、例えば、呼出ボタンが好適とされる。
【００１９】
カメラ１０１は、呼出操作を行った来訪者の映像や住戸外の周囲近傍の映像（監視映像）を撮像するためのものであり、例えば、ＣＣＤ、ＣＭＯＳ等の各種の撮像媒体が好適とされる。また、子機映像処理部１０２は、カメラ１０１にて撮像された映像である電気信号の映像信号を信号処理する、例えば、ＦＭ変調、増幅を行うためのものである。
【００２０】
子機マイク１０３及び子機スピーカ１０４は、来訪者が居住者との間で通話を成立させるための音声（送話音声、受話音声）を入出力するものであり、子機スピーカ１０４は、前述の通話機能のみならず、第１、第２の各火災センサ２ａ、２ｂ、ガス漏れセンサ２ｃ、水漏れセンサ２ｄのうち少なくとも１の当該センサにて感知されたセキュリティ異常又は当該センサの機器異常の警報発報を行うこともできる。また、子機通話部１０５は、子機マイク１０３及び子機スピーカ１０４にて入出力される音声（送話音声、受話音声）である電気信号の音声信号を信号処理する、例えば、４線／２線変換又は２線／４線変換、増幅を行うためのものである。
【００２１】
子機電源部１０６は、居室親機３の後述する親機電源部３０６にて生成され、子機／親機ラインＬ1を経由して供給されてくる子機電源を受電し、待受電源又は動作電源として玄関子機１の構成各部／回路に供給するためのものである。
【００２２】
子機Ｉ／Ｆ１０７は、子機操作部１００から子機／親機ラインＬ1への信号伝送路、子機映像処理部１０２から子機／親機ラインＬ1への信号伝送路、子機／親機ラインＬ1から子機スピーカ１０４への信号伝送路、子機通話部１０５及び子機／親機ラインＬ1の間の信号伝送路（通話路）、子機／親機ラインＬ1から子機電源部１０６への電源供給路をそれぞれ形成するためのものである。
【００２３】
また、居室親機３には、モニタ３００、親機映像処理部３０１、親機マイク３０２、親機スピーカ３０３、親機通話部３０４、親機操作部３０５、親機電源部３０６、電流検出部３０７、ＣＰＵ３０８、子機側親機Ｉ／Ｆ３０９及びセンサ側親機Ｉ／Ｆ３１０が備えられている。
【００２４】
この居室親機３において、モニタ３００は、ＣＰＵ３０８により制御され、来訪者による玄関子機１からの呼び出しがあることを示す呼出表示、玄関子機１のカメラ１０１にて撮像された映像を出画する映像出画、第１、第２の各火災センサ２ａ、２ｂ、ガス漏れセンサ２ｃ、水漏れセンサ２ｄのうち少なくとも１の当該センサにて感知されたセキュリティ異常又は当該センサの機器異常を示す警報表示、居室親機３に接続された当該センサの台数を示す確認表示をそれぞれ行うものであり、例えば、ＬＣＤ、ＰＤＰ、有機ＥＬディスプレイ等の各種の出画表示媒体が好適とされる。また、親機映像処理部３０１は、ＣＰＵ３０８により制御され、玄関子機１から子機／親機ラインＬ1を経由して伝送されてくる映像信号を信号処理する、例えば、ＦＭ復調、増幅を行い、玄関子機１のカメラ１０１にて撮像された映像をモニタ３００に出画させるためのものである。
【００２５】
親機マイク３０２及び親機スピーカ３０３は、居住者が来訪者との間で通話を成立させるための音声（送話音声、受話音声）を入出力するものであり、親機スピーカ３０３は、前述の通話機能のみならず、来訪者による玄関子機１からの呼び出しがあることを示す呼出発報（放音）、第１、第２の各火災センサ２ａ、２ｂ、ガス漏れセンサ２ｃ、水漏れセンサ２ｄのうち少なくとも１の当該センサにて感知されたセキュリティ異常又は当該センサの機器異常を示す警報発報、居室親機３に接続された当該センサの台数を示す確認発報（放音）をそれぞれ行うことができる。また、親機通話部３０４は、親機マイク３０２及び親機スピーカ３０３にて入出力される音声（送話音声、受話音声）である電気信号の音声信号を信号処理する、例えば、４線／２線変換又は２線／４線変換、増幅を行うためのものである。
【００２６】
親機操作部３０５は、ＣＰＵ３０８により操作検出され、来訪者による玄関子機１からの呼び出しがあることを確認した居住者が応答し、親機マイク３０２及び親機スピーカ３０３の使用による通話を成立させるための応答操作、又は成立中の通話を終了するための終話操作を行うものである。この親機操作部３０５としては、居室親機３の前面に設けられる押圧ボタンやモニタ３００の前面に設けられるタッチパネルが好適とされる。また、親機操作部３０５としては、前述の応答操作機能及び終話操作機能のみならず、居住者自らの意思で警報発報を行うための警報発報操作機能を備えることもできる。
【００２７】
親機電源部３０６は、ＣＰＵ３０８により制御され、当該居室親機の待受電源又は動作電源、玄関子機１の待受電源又は動作電源、第１、第２の各火災センサ２ａ、２ｂ、ガス漏れセンサ２ｃ、水漏れセンサ２ｄの動作電源としてのそれぞれの直流電源を生成するためのものであり、例えば、太陽光の光エネルギーを電力変換して当該直流電源を生成する態様、図示しない商用電源を整流・平滑して当該直流電源を生成する態様が好適とされる。また、電流検出部３０７は、第１乃至第３の各電流検出回路３７０、３７１、３７２にて構成され、第１、第２の各火災センサ２ａ、２ｂ、ガス漏れセンサ２ｃ、水漏れセンサ２ｄの消費電流をそれぞれ検出するためのものである。また、第１の電流検出回路３７０は、センサ側親機Ｉ／Ｆ３１０及び第１のセンサ／親機ラインＬ2の間に接続されている。また、第２の電流検出回路３７１は、センサ側親機Ｉ／Ｆ３１０及び第２のセンサ／親機ラインＬ3の間に接続されている。さらに、第３の電流検出回路３７２は、センサ側親機Ｉ／Ｆ３１０及び第３のセンサ／親機ラインＬ4の間に接続されている。なお、電流検出部３０７としては、前述のように、第１乃至第３の各センサ／親機ラインＬ2、Ｌ3、Ｌ4に対応させた個別の第１乃至第３の各電流検出回路３７０、３７１、３７２の構成に限定されるものではなく、単一の当該電流検出回路として構成することもできる。
【００２８】
ＣＰＵ３０８は、当該居室親機の構成各部／回路を制御するためのものであり、具体的な制御としては、例えば、電流検出部３０７を構成する第１乃至第３の各電流検出回路３７０、３７１、３７２にてそれぞれ検出される消費電流の電流値をもとに、第１、第２の各火災センサ２ａ、２ｂ、ガス漏れセンサ２ｃ、水漏れセンサ２ｄにて感知されたセキュリティ異常又は当該センサの機器異常を検出し、その旨の警報報知を、モニタ３００及び／又は親機スピーカ３０３、玄関子機１の子機スピーカ１０４を使用して行うとともに、同様に電流検出部３０７を構成する第１乃至第３の各電流検出回路３７０、３７１、３７２にてそれぞれ検出される消費電流の電流値をもとに、居室親機３に接続される当該センサの台数を検出し、その旨の確認報知を、モニタ３００及び／又は親機スピーカ３０３を使用して行うことができる。
【００２９】
子機側親機Ｉ／Ｆ３０９は、子機／親機ラインＬ1から親機映像処理部３０１への信号伝送路、親機通話部３０４及び子機／親機ラインＬ1の間の信号伝送路（通話路）、親機電源部３０６から子機／親機ラインＬ1への電源供給路、ＣＰＵ３０８及び子機／親機ラインＬ1の間の信号伝送路をそれぞれ形成するためのものである。また、センサ側親機Ｉ／Ｆ３１０は、ＣＰＵ３０８及び第１乃至第３のセンサ／親機ラインＬ2、Ｌ3、Ｌ4の間の信号伝送路を、電流検出部３０７を構成する第１乃至第３の各電流検出回路３７０、３７１、３７２を経由して形成するためのものである。
【００３０】
このように構成された本発明の実施例によるインターホン装置において、以下、具体的な動作について説明する。なお、同実施例において、住戸外に居る来訪者が住戸内に在室中の居住者を呼び出すにあたり玄関子機１の子機操作部１００を使用して所定の呼出操作を行い、この呼び出しがあることを居室親機３のモニタ３００及び親機スピーカ３０３を使用して報知する呼び出し・呼出報知の各動作と、玄関子機１のカメラ１０１にて撮像された映像を居室親機３のモニタ３００に出画させる映像撮像・出画の各動作と、前述の呼び出しを確認した居住者が居室親機３の親機操作部３０５を使用して所定の応答操作を行い、居住者が使用する親機マイク３０２及び親機スピーカ３０３と来訪者が使用する子機マイク１０３及び子機スピーカ１０４との間で音声信号を送受信して通話を成立させる動作とはそれぞれ、特許公報等に開示された各種のインターホン装置（インターホンシステム）において公知の技術事項であるため、その説明は省略するものとする。
【００３１】
図１に示す第１、第２の各火災センサ２ａ、２ｂ、ガス漏れセンサ２ｃ、水漏れセンサ２ｄにてそれぞれセキュリティ異常を監視する監視時に消費される消費電流の電流値として、例えば、１０ｍＡの当該各センサの動作電源を確保するにあたり、居室親機３のＣＰＵ３０８は、親機電源部３０６を制御して、例えば、太陽光の光エネルギーを電力変換した所定の電圧値の直流電源や図示しない商用電源を整流・平滑した所定の電圧値の直流電源、例えば、ＤＣ５Ｖの直流電源を生成させる。この直流電源は、親機電源部３０６からセンサ側親機Ｉ／Ｆ３１０、電流検出部３０７を構成する第１の電流検出回路３７０、第１のセンサ／親機ラインＬ2を経由して第１、第２の各火災センサ２ａ、２ｂと、親機電源部３０６からセンサ側親機Ｉ／Ｆ３１０、電流検出部３０７を構成する第２の電流検出回路３７１、第２のセンサ／親機ラインＬ3を経由してガス漏れセンサ２ｃと、親機電源部３０６からセンサ側親機Ｉ／Ｆ３１０、電流検出部３０７を構成する第３の電流検出回路３７２、第３のセンサ／親機ラインＬ4を経由して水漏れセンサ２ｄとにそれぞれ供給され、当該各センサの動作電源となる。
【００３２】
次に、居室親機３の親機電源部３０６にて生成されたＤＣ５Ｖの直流電源により、第１、第２の各火災センサ２ａ、２ｂ、ガス漏れセンサ２ｃ、水漏れセンサ２ｄにそれぞれ動作電源が供給されたとき、電流検出部３０７を構成する第１乃至第３の各電流検出回路３７０、３７１、３７２のうち、第１の電流検出回路３７０は、第１のセンサ／親機ラインＬ2に接続されている第１、第２の各火災センサ２ａ、２ｂの消費電流の電流値、例えば、２０ｍＡを検出することができる。この消費電流の電流値２０ｍＡをもとに、ＣＰＵ３０８は、第１のセンサ／親機ラインＬ2を経由して居室親機３に接続されている当該火災センサの台数が２台であることを確認することができる。
【００３３】
また、居室親機３において、電流検出部３０７を構成する第２の電流検出回路３７１は、第２のセンサ／親機ラインＬ3に接続されているガス漏れセンサ２ｃの消費電流の電流値、例えば、１０ｍＡを検出することができる。この消費電流の電流値１０ｍＡをもとに、ＣＰＵ３０８は、第２のセンサ／親機ラインＬ3を経由して居室親機３に接続されている当該ガス漏れセンサの台数が１台であることを確認することができる。
【００３４】
また、居室親機３において、電流検出部３０７を構成する第３の電流検出回路３７２は、第３のセンサ／親機ラインＬ4に接続されている水漏れセンサ２ｄの消費電流の電流値、例えば、１０ｍＡを検出することができる。この消費電流の電流値１０ｍＡをもとに、ＣＰＵ３０８は、第３のセンサ／親機ラインＬ4を経由して居室親機３に接続されている当該水漏れセンサの台数が１台であることを確認することができる。
【００３５】
さらに、第１乃至第３の各センサ／親機ラインＬ2、Ｌ3、Ｌ4を経由して居室親機３に接続されている当該センサの台数が、第１、第２の各火災センサ２ａ、２ｂ、ガス漏れセンサ２ｃ、水漏れセンサ２ｄの計４台であることを検出したＣＰＵ３０８は、その旨の確認報知を、モニタ３００の使用による確認メッセージや絵データ等の確認表示、及び／又は親機スピーカ３０３の使用による確認音や音声メッセージ等の確認発報（放音）で行うことができる。
【００３６】
次に、居室親機３の親機電源部３０６にて生成されたＤＣ５Ｖの直流電源により、第１、第２の各火災センサ２ａ、２ｂ、ガス漏れセンサ２ｃ、水漏れセンサ２ｄにそれぞれ動作電源が供給された後の監視状態において、電流検出部３０７を構成する第１乃至第３の各電流検出回路３７０、３７１、３７２は、第１のセンサ／親機ラインＬ2に接続されている第１、第２の各火災センサ２ａ、２ｂの消費電流、第２のセンサ／親機ラインＬ3に接続されているガス漏れセンサ２ｃの消費電流、第３のセンサ／親機ラインＬ4に接続されている水漏れセンサ２ｄの消費電流をそれぞれ監視している。
【００３７】
この状態で、例えば、第１、第２の各火災センサ２ａ、２ｂのうち少なくとも１の当該火災センサが火災の発生を感知すると、居室親機３の電流検出部３０７を構成する第１の電流検出回路３７０は、当該第１、第２の各火災センサの消費電流（以下、感知時消費電流という。）の電流値、例えば、１００ｍＡを検出することができる。ＣＰＵ３０８は、感知時消費電流の電流値１００ｍＡと前述のＤＣ５Ｖの直流電源の供給時に検出された消費電流の電流値２０ｍＡとを比較して、第１、第２の各火災センサ２ａ、２ｂのうち少なくとも１の当該火災センサにて火災の発生が感知されたセキュリティ異常を検出し、その旨の警報報知を、モニタ３００の使用による警報メッセージや絵データ等の警報表示、及び／又は親機スピーカ３０３の使用による警報音や音声メッセージ等の警報発報で行うことができる。
【００３８】
また、ガス漏れセンサ２ｃがガス漏れの発生を感知すると、居室親機３の電流検出部３０７を構成する第２の電流検出回路３７１は、当該ガス漏れセンサの感知時消費電流の電流値、例えば、１００ｍＡを検出することができる。ＣＰＵ３０８は、感知時消費電流の電流値１００ｍＡと前述のＤＣ５Ｖの直流電源の供給時に検出された消費電流の電流値１０ｍＡとを比較して、ガス漏れセンサ２ｃにてガス漏れの発生が感知されたセキュリティ異常を検出し、その旨の警報報知を、モニタ３００の使用による警報メッセージや絵データ等の警報表示、及び／又は親機スピーカ３０３の使用による警報音や音声メッセージ等の警報発報で行うことができる。
【００３９】
さらに、水漏れセンサ２ｄが水漏れの発生を感知すると、居室親機３の電流検出部３０７を構成する第３の電流検出回路３７２は、当該水漏れセンサの感知時消費電流の電流値、例えば、１００ｍＡを検出することができる。ＣＰＵ３０８は、感知時消費電流の電流値１００ｍＡと前述のＤＣ５Ｖの直流電源の供給時に検出された消費電流の電流値１０ｍＡとを比較して、水漏れセンサ２ｄにて水漏れの発生が感知されたセキュリティ異常を検出し、その旨の警報報知を、モニタ３００の使用による警報メッセージや絵データ等の警報表示、及び／又は親機スピーカ３０３の使用による警報音や音声メッセージ等の警報発報で行うことができる。
【００４０】
なお、居室親機３のＣＰＵ３０８の制御により親機スピーカ３０３を使用して警報発報させたセキュリティ異常の旨の警報音や音声メッセージ等は、子機側親機Ｉ／Ｆ３０９、子機／親機ラインＬ1、玄関子機１の子機Ｉ／Ｆ１０７を経由して子機スピーカ１０４から警報発報させることもできる。
【００４１】
次に、前述と同様、居室親機３の親機電源部３０６にて生成されたＤＣ５Ｖの直流電源により、第１、第２の各火災センサ２ａ、２ｂ、ガス漏れセンサ２ｃ、水漏れセンサ２ｄにそれぞれ動作電源が供給された後の監視状態であり、第１のセンサ／親機ラインＬ2に接続されている第１、第２の各火災センサ２ａ、２ｂの消費電流、第２のセンサ／親機ラインＬ3に接続されているガス漏れセンサ２ｃの消費電流、第３のセンサ／親機ラインＬ4に接続されている水漏れセンサ２ｄの消費電流がそれぞれ、電流検出部３０７を構成する第１乃至第３の各電流検出回路３７０、３７１、３７２にて監視されている状態において、例えば、第１、第２の各火災センサ２ａ、２ｂのうち少なくとも１の当該火災センサが機器異常になると、第１の電流検出回路３７０は、機器異常が発生した当該火災センサの消費電流（以下、機器異常時消費電流という。）の電流値、例えば、前述の感知時消費電流とは異なる２００ｍＡを検出することができる。ＣＰＵ３０８は、機器異常時消費電流の電流値２００ｍＡと前述のＤＣ５Ｖの直流電源の供給時に検出された消費電流の電流値２０ｍＡとを比較して、第１、第２の各火災センサ２ａ、２ｂのうち少なくとも１の当該火災センサにて機器異常が発生したことを検出し、その旨の警報報知を、モニタ３００の使用による警報メッセージや絵データ等の警報表示、及び／又は親機スピーカ３０３の使用による警報音や音声メッセージ等の警報発報で行うことができる。
【００４２】
また、ガス漏れセンサ２ｃが機器異常になると、居室親機３の電流検出部３０７を構成する第２の電流検出回路３７１は、機器異常が発生した当該ガス漏れセンサの機器異常時消費電流の電流値、例えば、前述の感知時消費電流とは異なる２００ｍＡを検出することができる。ＣＰＵ３０８は、機器異常時消費電流の電流値２００ｍＡと前述のＤＣ５Ｖの直流電源の供給時に検出された消費電流の電流値１０ｍＡとを比較して、ガス漏れセンサ２ｃにて機器異常が発生したことを検出し、その旨の警報報知を、モニタ３００の使用による警報メッセージや絵データ等の警報表示、及び／又は親機スピーカ３０３の使用による警報音や音声メッセージ等の警報発報で行うことができる。
【００４３】
さらに、水漏れセンサ２ｄが機器異常になると、居室親機３の電流検出部３０７を構成する第３の電流検出回路３７２は、機器異常が発生した当該水漏れセンサの機器異常時消費電流の電流値、例えば、前述の感知時消費電流とは異なる２００ｍＡを検出することができる。ＣＰＵ３０８は、機器異常消費電流の電流値２００ｍＡと前述のＤＣ５Ｖの直流電源の供給時に検出された消費電流の電流値１０ｍＡとを比較して、水漏れセンサ２ｄにて機器異常が発生したことを検出し、その旨の警報報知を、モニタ３００の使用による警報メッセージや絵データ等の警報表示、及び／又は親機スピーカ３０３の使用による警報音や音声メッセージ等の警報発報で行うことができる。
【００４４】
なお、居室親機３のＣＰＵ３０８の制御により親機スピーカ３０３を使用して警報発報させた機器異常の旨の警報音や音声メッセージ等は、子機側親機Ｉ／Ｆ３０９、子機／親機ラインＬ1、玄関子機１の子機Ｉ／Ｆ１０７を経由して子機スピーカ１０４から警報発報させることもできる。
【００４５】
前述までの説明から明らかなように、本発明の実施例によるインターホン装置においては、住戸内におけるセキュリティ異常を感知するセンサ２ａ、２ｂ、２ｃ、２ｄの動作電源を、居室親機３の親機電源部３０６からの電源供給、例えば、太陽光の光エネルギーを電力変換して生成させた直流電源により確保することができ、電池の交換のような煩雑な作業が不要となり利便性が高められる。また、居室親機３のＣＰＵは３０８は、電流検出部３０７（３７０、３７１、３７２）にて検出されるセンサ２ａ、２ｂ、２ｃ、２ｄの消費電流をもとに、セキュリティ異常の発生又は当該センサの機器異常を検出し、その旨の警報報知を、報知部を構成するモニタ３００及び／又は親機スピーカ３０３を使用して行うことができる。また、居室親機３のＣＰＵ３０８は、電流検出部３０７（３７０、３７１、３７２）にて検出されるセンサ２ａ、２ｂ、２ｃ、２ｄの消費電流をもとに、居室親機３に接続された当該センサの台数を検出し、その旨の確認報知を、報知部を構成するモニタ３００及び／又は親機スピーカ３０３を使用して行うことができる。
【００４６】
なお、本発明の実施例によるインターホン装置においては、住戸内におけるセキュリティ異常の発生を感知するための少なくとも１台のセンサとして、火災の発生を感知する第１、第２の各火災センサ２ａ、２ｂ、ガス漏れの発生を感知するガス漏れセンサ２ｃ、水漏れの発生を感知する水漏れセンサ２ｄを適用したが、この態様に限定されるものではない。例えば、居住者としての高齢者等の徘徊を感知するための徘徊センサや泥棒等の不審者の侵入を感知するための人感センサ等を適用することもできる。また、前述のような各種のセンサを居室親機３に接続するにあたり、その接続の態様は、第１のセンサ／親機ラインＬ2を経由して第１、第２の各火災センサ２ａ、２ｂを渡り配線接続させる直列接続に限定されるものではなく、並列接続による態様も好適とされる。
【００４７】
また、本発明の実施例によるインターホン装置においては、第１、第２の各火災センサ２ａ、２ｂ、ガス漏れセンサ２ｃ、水漏れセンサ２ｄにてそれぞれセキュリティ異常を監視する監視時に消費される消費電流の電流値として、例えば、１０ｍＡの当該各センサを適用したが、この態様に限定されるものではない。例えば、５ｍＡ、１０ｍＡ、２０ｍＡ、・・・のように消費電流が異なる複数のセンサを適用することもできる。
【００４８】
最後に、本発明のインターホン装置においては、特定の実施の形態をもって説明してきたが、この形態に限定されるものでなく、本発明の効果を奏する限り、これまで知られた如何なる構成のインターホン装置、例えば、マンション等の集合住宅に設置される集合住宅インターホン装置（インターホンシステム）であっても採用できるということはいうまでもないことである。
【図面の簡単な説明】
【００４９】
【図１】本発明の実施例によるインターホン装置の具体的な構成を示すブロック図。
【符号の説明】
【００５０】
１……玄関子機
１０１……カメラ
２ａ、２ｂ、２ｃ、２ｄ……少なくとも１台のセンサ
３……居室親機
３００……モニタ（報知部）
３０３……親機スピーカ（報知部）
３０６……親機電源部
３０７……電流検出部
３０８……ＣＰＵ
【図１】
2009009511.tif 000003